(57)【要約】【課題】様々な用途に容易に対応可能なセパ穴活用具を提供する。【解決手段】コンクリート面２ａに開口するセパ穴３に設けられるセパ穴活用具である。セパ穴３の奥面３ａからセパ穴３内へ突出するセパレータ５端部のネジ部５ａに、ベース部材１が設けられる。ベース部材１は、本体部７とフランジ部８とを備える。本体部７は、セパレータ５のネジ部５ａにねじ込まれて、セパ穴３にはめ込まれる。フランジ部８は、セパ穴３の開口部よりも大きな寸法とされ、セパ穴３の開口部周囲のコンクリート面２ａに重ね合わされるよう設けられる。ベース部材１には、基端面へ開口して、雌ネジを有する被取付穴９ｂが形成されている。被取付穴９ｂには、たとえば、フック部１２を有する引掛部材１１を設けることができる。【選択図】図３
0003232955.tif 000002
【実用新案登録請求の範囲】
【請求項１】
コンクリート面に開口するセパ穴に設けられるセパ穴活用具であって、
前記セパ穴の奥面から前記セパ穴内へ突出するセパレータ端部のネジ部に設けられるベース部材を備え、
このベース部材は、前記ネジ部にねじ込まれて前記セパ穴にはめ込まれる本体部と、前記ネジ部へのねじ込み側とは逆側となる前記本体部の基端部に、前記セパ穴の開口部よりも大きな寸法で設けられ、前記セパ穴の開口部周囲のコンクリート面に重ね合わされるよう設けられるフランジ部とを備え、
前記ベース部材には、基端面へ開口して、雌ネジを有する被取付穴が形成されている
ことを特徴とするセパ穴活用具。
【請求項２】
前記ベース部材の基端部には、前記セパレータ端部のネジ部に前記ベース部材をねじ込む際の回転用工具の被係合部が設けられている
ことを特徴とする請求項１に記載のセパ穴活用具。
【請求項３】
前記被係合部は、前記被取付穴の基端側開口部に設けられた六角穴または六角星形穴から形成される
ことを特徴とする請求項２に記載のセパ穴活用具。
【請求項４】
前記ベース部材には、その軸線に沿って貫通穴が形成されており、
この貫通穴は、基端側開口部に六角穴または六角星形穴が形成される一方、それよりも先端側にネジ穴が形成されており、
前記ネジ穴は、先端側が前記セパレータ端部のネジ部への螺合部とされる一方、基端側が前記被取付穴とされ、
前記フランジ部の外形は、円形とされている
ことを特徴とする請求項１〜３のいずれか１項に記載のセパ穴活用具。
【請求項５】
前記ベース部材は、前記本体部の外周面と前記セパ穴の内周面との間、および前記本体部の先端面と前記セパ穴の奥面との間に、それぞれ隙間が空けられて前記セパ穴に設けられる
ことを特徴とする請求項１〜４のいずれか１項に記載のセパ穴活用具。
【請求項６】
前記ベース部材に着脱可能に設けられる取付部材をさらに備え、
この取付部材は、前記ベース部材の被取付穴に対し、ネジで着脱可能に保持される
ことを特徴とする請求項１〜５のいずれか１項に記載のセパ穴活用具。
【請求項７】
前記取付部材は、引掛部材とされ、
この引掛部材は、物品が引っ掛けられるフック部を有する
ことを特徴とする請求項６に記載のセパ穴活用具。
【請求項８】
前記取付部材は、略Ｌ字形状材とされ、
この略Ｌ字形状材は、一片が前記ベース部材に保持される一方、他片に他の部材が保持される
ことを特徴とする請求項６に記載のセパ穴活用具。
【請求項９】
前記他の部材は、棚板またはラックである
ことを特徴とする請求項８に記載のセパ穴活用具。
【請求項１０】
前記取付部材は、略コ字形状材とされ、
この略コ字形状材は、中央片が前記ベース部材に保持される一方、残りの片に他の部材が保持される
ことを特徴とする請求項６に記載のセパ穴活用具。
【請求項１１】
前記他の部材は、タオル掛けである
ことを特徴とする請求項８または請求項１０に記載のセパ穴活用具。
【請求項１２】
前記他の部材は、パーテーションである
ことを特徴とする請求項８または請求項１０に記載のセパ穴活用具。
【請求項１３】
前記取付部材は、継手部材とされ、
この継手部材は、第一部材と第二部材とが揺動可能に接続されて構成され、
前記第一部材が前記ベース部材に保持され、前記第二部材に他の部材が保持される
ことを特徴とする請求項６に記載のセパ穴活用具。
【請求項１４】
前記第一部材は、略コ字形状材とされ、
この略コ字形状材の中央片は、前記被取付穴にねじ込まれるボルトにより前記ベース部材に保持されると共に、このボルトまわりに揺動可能に保持され、
前記略コ字形状材の両端片には、軸材が架け渡されると共に、この軸材の軸線まわりに揺動可能に前記第二部材の基端部が保持され、
前記第二部材には、先端面へ開口してネジ穴が形成されている
ことを特徴とする請求項１３に記載のセパ穴活用具。
【請求項１５】
前記第二部材のネジ穴には、アイボルトが設けられる
ことを特徴とする請求項１４に記載のセパ穴活用具。
【請求項１６】
前記ベース部材は、前記フランジ部と前記コンクリート面との間に弾性材を介して、前記セパ穴に設けられる
ことを特徴とする請求項１〜１５のいずれか１項に記載のセパ穴活用具。
【考案の詳細な説明】
【技術分野】
【０００１】
本考案は、コンクリート型枠工事で生じたセパ穴に設けられ、所望によりフック等を取り付けることができるセパ穴活用具に関するものである。
【背景技術】
【０００２】
たとえば、コンクリート壁を構築する際、一対の板材で型枠を構成し、その板材間にコンクリートを打設する。板材間の間隔を一定に保持するために、棒状のセパレータと、略円錐台形状部を有するＰコンとが用いられる。コンクリート硬化後、型枠の解体時には、コンクリート面からＰコンも除去される。これにより、コンクリート面には、略円錐台形状のセパ穴（Ｐコン穴）が残される。また、Ｐコンを取り外した状態では、セパレータ端部のネジ部が、セパ穴の奥面（底面）からセパ穴内へ突出した状態とされる。コンクリート面には、このようなセパ穴が多数出現することになるが、通常、セパ穴は、モルタルで塞がれる。
【０００３】
一方、下記特許文献１に開示されるように、セパ穴を利用して、フックを設けることも提案されている。具体的には、ピーコン穴利用フックは、セパ穴にはめ込まれる基部（２）と、この基部から突出するフック部（３）とを備える。基部は、Ｐコンとほぼ同じ形状および寸法とされており、セパレータ端部のネジ部にねじ込んでセパ穴にはめ込まれる。
【０００４】
しかしながら、従来技術では、セパ穴の利用がフックに限られ、他の用途には対応できない。また、コンクリート型枠工事の完了後、コンクリート面には多数のセパ穴が残されるが、その内、どのセパ穴にフックを設けるかを、予め決めなければならない。というのも、全てのセパ穴にフックを設けることは、通常は不要で邪魔になるし、外観上も好ましくないからである。現実的には、多数のセパ穴の内、フックを設ける箇所を予め決めておき、その箇所にはフックを設ける一方、その他の箇所はモルタルで塞がれることになる。そのため、フックの設置箇所の変更や増減など、レイアウトの変更が容易ではない。
【０００５】
また、従来技術では、セパ穴にはめ込まれる基部は、Ｐコンとほぼ同じ形状および寸法とされている。基部は、比較的精度よく製造することができても、セパ穴は、コンクリートのため精度が安定しない。そのため、セパ穴に基部がうまくはまり合わず、基部の端面とコンクリート面とが一定に配置されず、不揃いになり、美感を損ねるおそれがある。これを防止するために、仮にセパ穴よりも基部を十分小さく形成して、基部とセパ穴との接触部をなくすだけでは、フックからの荷重がセパレータに直接作用することになる。そのため、セパレータにかかる曲げや引抜きの荷重が大きくなり、好ましくない。また、従来技術では、セパ穴にフックを設ける際、工具を用いた締付けができず、コンクリート面に強固に固定することもできない。
【先行技術文献】
【特許文献】
【０００６】
【特許文献１】登録実用新案第３０８８１１９号公報
【考案の概要】
【考案が解決しようとする課題】
【０００７】
本考案が解決しようとする課題は、様々な用途に容易に対応可能なセパ穴活用具を提供することにある。また、フック等の設置箇所の変更や増減など、レイアウトの変更にも容易に対応可能なセパ穴活用具を提供することを課題とする。さらに、好ましくは、セパ穴に安定して強固に取付可能なセパ穴活用具を提供することを課題とする。
【課題を解決するための手段】
【０００８】
本考案は、前記課題を解決するためになされたもので、請求項１に記載の考案は、コンクリート面に開口するセパ穴に設けられるセパ穴活用具であって、前記セパ穴の奥面から前記セパ穴内へ突出するセパレータ端部のネジ部に設けられるベース部材を備え、このベース部材は、前記ネジ部にねじ込まれて前記セパ穴にはめ込まれる本体部と、前記ネジ部へのねじ込み側とは逆側となる前記本体部の基端部に、前記セパ穴の開口部よりも大きな寸法で設けられ、前記セパ穴の開口部周囲のコンクリート面に重ね合わされるよう設けられるフランジ部とを備え、前記ベース部材には、基端面へ開口して、雌ネジを有する被取付穴が形成されていることを特徴とするセパ穴活用具である。
【０００９】
請求項１に記載の考案によれば、セパレータ端部のネジ部にねじ込みつつ、セパ穴にベース部材を設けることができる。ベース部材には、基端面へ開口して雌ネジを有する被取付穴が形成されているので、この被取付穴を用いて、必要に応じて、フック等の各種部材を取り付けることができる。
【００１０】
また、コンクリート面に複数のセパ穴がある場合、次のような利用方法が可能となる。すなわち、各セパ穴に取り敢えずベース部材を設けておき、必要に応じて、必要な箇所のベース部材に、フック等の各種部材を取り付けることができる。そのため、フック等の設置箇所の変更や増減など、レイアウトの変更にも容易に対応可能となる。
【００１１】
さらに、ベース部材は、セパ穴にはめ込まれる本体部と、この本体部の基端部に設けられるフランジ部とを備え、セパ穴の開口部周囲のコンクリート面にフランジ部が重ね合わされるよう設けられる。これにより、見栄えよく、コンクリート面にベース部材を安定して強固に取り付けることができる。
【００１２】
請求項２に記載の考案は、前記ベース部材の基端部には、前記セパレータ端部のネジ部に前記ベース部材をねじ込む際の回転用工具の被係合部が設けられていることを特徴とする請求項１に記載のセパ穴活用具である。
【００１３】
請求項２に記載の考案によれば、ベース部材の基端部に回転用工具の被係合部が設けられているので、この被係合部を用いて、ベース部材を回転用工具で容易に回転させて、セパ穴にベース部材を強固に締め付けて固定することができる。
【００１４】
請求項３に記載の考案は、前記被係合部は、前記被取付穴の基端側開口部に設けられた六角穴または六角星形穴から形成されることを特徴とする請求項２に記載のセパ穴活用具である。
【００１５】
請求項３に記載の考案によれば、被係合部を六角穴または六角星形穴から形成することで、その穴にレンチを係合して、容易に強固にベース部材を締め付けて、緩みなくセパ穴に取り付けることができる。また、被係合部としての六角穴または六角星形穴を、被取付穴の開口部に設けることで、被取付穴にフック等の部材を設けない状態でも、被係合部が目立ちにくく、美感を損ねるおそれがない。
【００１６】
請求項４に記載の考案は、前記ベース部材には、その軸線に沿って貫通穴が形成されており、この貫通穴は、基端側開口部に六角穴または六角星形穴が形成される一方、それよりも先端側にネジ穴が形成されており、前記ネジ穴は、先端側が前記セパレータ端部のネジ部への螺合部とされる一方、基端側が前記被取付穴とされ、前記フランジ部の外形は、円形とされていることを特徴とする請求項１〜３のいずれか１項に記載のセパ穴活用具である。
【００１７】
請求項４に記載の考案によれば、簡易な構成で、容易にベース部材を製造することができる。また、ベース部材の軸線に沿って貫通穴を形成し、その貫通穴の開口部に六角穴または六角星形穴を形成することで、その穴にレンチを係合して、容易に強固にベース部材を締め付けて、緩みなくセパ穴に取り付けることができる。六角穴または六角星形穴を、被取付穴の開口部に設けることで、被取付穴にフック等の部材を設けない状態でも、被係合部が目立ちにくく、美感を損ねるおそれがない。また、仮にフランジ部の外形を六角形とした場合には、複数のセパ穴のそれぞれにベース部材を設けた際、フランジ部の六角形の角の位置が一定にならず、美感を損ねるおそれがあるが、フランジ部の外形を円形とすることで、そのような不都合を防止することができる。
【００１８】
請求項５に記載の考案は、前記ベース部材は、前記本体部の外周面と前記セパ穴の内周面との間、および前記本体部の先端面と前記セパ穴の奥面との間に、それぞれ隙間が空けられて前記セパ穴に設けられることを特徴とする請求項１〜４のいずれか１項に記載のセパ穴活用具である。
【００１９】
請求項５に記載の考案によれば、ベース部材は、本体部がセパ穴との間に隙間を空けてはめ込まれる一方、フランジ部がコンクリート面に重ね合わされるよう設けられる。これにより、コンクリート面にフランジ部を確実に押し付けて、セパ穴にベース部材を強固に取り付けることができる。さらに、複数のセパ穴のそれぞれにベース部材を設ける場合でも、コンクリート面からのフランジ部の突出量を一定とできるので、美感を損ねるおそれがない。
【００２０】
請求項６に記載の考案は、前記ベース部材に着脱可能に設けられる取付部材をさらに備え、この取付部材は、前記ベース部材の被取付穴に対し、ネジで着脱可能に保持されることを特徴とする請求項１〜５のいずれか１項に記載のセパ穴活用具である。
【００２１】
請求項６に記載の考案によれば、ベース部材の被取付穴を用いて、各種の取付部材をベース部材ひいてはコンクリート面に設置することができる。
【００２２】
請求項７に記載の考案は、前記取付部材は、引掛部材とされ、この引掛部材は、物品が引っ掛けられるフック部を有することを特徴とする請求項６に記載のセパ穴活用具である。
【００２３】
請求項７に記載の考案によれば、ベース部材に対し、フック部を有する引掛部材を容易に設けることができる。
【００２４】
請求項８に記載の考案は、前記取付部材は、略Ｌ字形状材とされ、この略Ｌ字形状材は、一片が前記ベース部材に保持される一方、他片に他の部材が保持されることを特徴とする請求項６に記載のセパ穴活用具である。
【００２５】
請求項８に記載の考案によれば、ベース部材に対し、略Ｌ字形状材を設けることができる。そして、この略Ｌ字形状材を介して、コンクリート面に、他の部材を保持することができる。
【００２６】
請求項９に記載の考案は、前記他の部材は、棚板またはラックであることを特徴とする請求項８に記載のセパ穴活用具である。
【００２７】
請求項９に記載の考案によれば、ベース部材や略Ｌ字形状材を介して、コンクリート面に、棚板またはラックを設けることができる。
【００２８】
請求項１０に記載の考案は、前記取付部材は、略コ字形状材とされ、この略コ字形状材は、中央片が前記ベース部材に保持される一方、残りの片に他の部材が保持されることを特徴とする請求項６に記載のセパ穴活用具である。
【００２９】
請求項１０に記載の考案によれば、ベース部材に対し、略コ字形状材を設けることができる。そして、この略コ字形状材を介して、コンクリート面に、他の部材を保持することができる。
【００３０】
請求項１１に記載の考案は、前記他の部材は、タオル掛けであることを特徴とする請求項８または請求項１０に記載のセパ穴活用具である。
【００３１】
請求項１１に記載の考案によれば、ベース部材の他、略Ｌ字形状材または略コ字形状材を介して、コンクリート面に、タオル掛けを設けることができる。
【００３２】
請求項１２に記載の考案は、前記他の部材は、パーテーションであることを特徴とする請求項８または請求項１０に記載のセパ穴活用具である。
【００３３】
請求項１２に記載の考案によれば、ベース部材の他、略Ｌ字形状材または略コ字形状材を介して、コンクリート面に、パーテーションを設けることができる。
【００３４】
請求項１３に記載の考案は、前記取付部材は、継手部材とされ、この継手部材は、第一部材と第二部材とが揺動可能に接続されて構成され、前記第一部材が前記ベース部材に保持され、前記第二部材に他の部材が保持されることを特徴とする請求項６に記載のセパ穴活用具である。
【００３５】
請求項１３に記載の考案によれば、ベース部材に対し、継手部材を設けることができる。そして、この継手部材を介して、コンクリート面に、他の部材を揺動可能に保持することができる。
【００３６】
請求項１４に記載の考案は、前記第一部材は、略コ字形状材とされ、この略コ字形状材の中央片は、前記被取付穴にねじ込まれるボルトにより前記ベース部材に保持されると共に、このボルトまわりに揺動可能に保持され、前記略コ字形状材の両端片には、軸材が架け渡されると共に、この軸材の軸線まわりに揺動可能に前記第二部材の基端部が保持され、前記第二部材には、先端面へ開口してネジ穴が形成されていることを特徴とする請求項１３に記載のセパ穴活用具である。
【００３７】
請求項１４に記載の考案によれば、簡易な構成で、第一部材に対し第二部材が揺動可能な継手部材を構成することができ、そのような継手部材をコンクリート面に容易に設置することができる。そして、第二部材のネジ穴には、他の部材を接続して利用することができる。
【００３８】
請求項１５に記載の考案は、前記第二部材のネジ穴には、アイボルトが設けられることを特徴とする請求項１４に記載のセパ穴活用具である。
【００３９】
請求項１５に記載の考案によれば、第二部材のネジ穴にアイボルトを設置しておくことで、そのアイボルトにフックや紐などを容易に引っ掛けて利用することができる。
【００４０】
さらに、請求項１６に記載の考案は、前記ベース部材は、前記フランジ部と前記コンクリート面との間に弾性材を介して、前記セパ穴に設けられることを特徴とする請求項１〜１５のいずれか１項に記載のセパ穴活用具である。
【００４１】
請求項１６に記載の考案によれば、ベース部材のフランジ部は、弾性材を介してコンクリート面に重ね合わされる。これにより、コンクリート面とフランジ部との重ね合わせがより確実となり、強固に取り付けることができる。
【考案の効果】
【００４２】
本考案によれば、様々な用途に容易に対応可能なセパ穴活用具を実現することができる。また、フック等の設置箇所の変更や増減など、レイアウトの変更にも容易に対応可能となる。また、フランジ部を備えると共に、好適には回転用工具の被係合部（六角穴など）を形成しておくことで、セパ穴に安定して強固に取付可能となる。
【図面の簡単な説明】
【００４３】
【図１】本考案の一実施例のセパ穴活用具のベース部材を示す概略縦断面図であり、コンクリート壁への取付状態を示している。
【図２】図１のベース部材の斜視図である。
【図３】取付部材としての引掛部材の一例を示す概略図であり、コンクリート壁に設置のベース部材への取付状態を示している。
【図４】取付部材としての略Ｌ字形状材の一例を示す概略断面図であり、コンクリート壁に設置のベース部材への取付状態を示している。
【図５】取付部材としての略コ字形状材の一例を示す概略斜視図であり、ベース部材への取付状態を示すと共に、タオル掛けを設けた例を示している。
【図６】取付部材としての継手部材の一例を示す概略斜視図であり、ベース部材への取付状態を示すと共に、継手部材を介してアイボルトを設ける例を示している。
【考案を実施するための形態】
【００４４】
以下、本考案の具体的実施例を図面に基づいて詳細に説明する。
【００４５】
図１および図２は、本考案の一実施例のセパ穴活用具のベース部材１を示す概略図であり、図１は、コンクリート壁２への取付状態の縦断面図、図２は、取付前の斜視図である。なお、以下において、ベース部材１について、先端側とは、図１における左側（セパ穴３へのはめ込み側）をいい、基端側とは、図１における右側（セパ穴３へのはめ込み側とは逆側）をいう。
【００４６】
本実施例のセパ穴活用具は、セパ穴３に設けられるベース部材１を少なくとも備え、このベース部材１に各種の取付部材４（たとえば図３〜図６に示される取付部材１１，１４，１８，２２）が所望により設けられる。以下、まずはベース部材１について説明し、その後、取付部材４を用いた活用例について説明する。
【００４７】
本実施例のセパ穴活用具は、典型的にはコンクリート壁２に設けられる。以下では、セパ穴活用具をコンクリート壁２に設ける場合について説明するが、場合により、天井や床など、その他のコンクリート製の躯体にも同様に適用可能である。
【００４８】
本実施例のセパ穴活用具は、コンクリート型枠工事で生じたセパ穴３と呼ばれる箇所に設けられる。念のため、このセパ穴３が生じるまでの流れについて説明すると、次のとおりである。すなわち、コンクリート型枠工事では、セパレータ５やＰコン６と呼ばれる部品が用いられる。セパレータ５は、金属製の棒材からなり、両端部にネジ部５ａが形成されている。Ｐコン６は、プラスチック製（または木製）の略円錐台形状部６ａを備え、この略円錐台形状部６ａは、先端面（小径側端面）に開口してネジ穴（セパレータ５端部のネジ部５ａに螺合可能なネジ穴（図示省略））が形成される一方、基端面（大径側端面）から基端側へ突出してボルト部６ｂが設けられている。セパレータ５端部のネジ部５ａにＰコン６の略円錐台形状部６ａの前記ネジ穴を螺合して保持すると共に、その略円錐台形状部６ａの大径側端面に型枠（板材）の板面が当接される。そして、その型枠を貫通するＰコン６のボルト部６ｂにフォームタイ（登録商標）などが設けられて、略円錐台形状部６ａとの間で型枠が保持される。型枠内にコンクリートを打設して硬化後、型枠を取り外すと共に、コンクリートからＰコン６も取り外すと、図１に示されるように、Ｐコン６の略円錐台形状部６ａと対応した形状のセパ穴３が、コンクリート面２ａに開口して残ることになる。また、セパ穴３には、その奥面（底面）３ａから軸線に沿って中途まで、セパレータ５端部のネジ部５ａが突出することになる。コンクリート面２ａには、このようなセパ穴３が複数出現することになるが、その一部または全部のセパ穴３に、本実施例のセパ穴活用具のベース部材１を設けることができる。
【００４９】
ベース部材１は、セパ穴３にはめ込まれる本体部７と、この本体部７の基端部に設けられて本体部７よりも大径のフランジ部８とを備える。本体部７とフランジ部８とは、本実施例では金属により一体的に形成される。たとえば、ステンレスまたはアルミニウムを切削加工して形成されるが、その他の金属材料や加工方法で形成されてもよい。また、材質も、金属に限らず、たとえば合成樹脂を用いて、一体形成されてもよい。
【００５０】
本体部７は、セパ穴３と適合する大きさか、それよりも小さく形成される。本実施例の場合、セパレータ５端部のネジ部５ａに本体部７のネジ穴９を螺合させつつセパ穴３に本体部７をはめ込むが、その際、セパ穴３の奥面３ａや内周面３ｂに本体部７を干渉させることなくはめ込んで、セパ穴３の開口部周囲のコンクリート面２ａにフランジ部８を重ね合わせ可能に、本体部７の形状および寸法が設定される。
【００５１】
たとえば、ベース部材１の軸方向寸法の内、本体部７の先端面とフランジ部８の先端面との離隔距離（フランジ部８端面からの本体部７の突出寸法）は、セパ穴３の軸方向寸法（奥行寸法）よりも小さく形成される。また、本体部７の最大径は、セパ穴３の最小径と略同一か、それよりも小さく形成される。
【００５２】
本体部７は、略円柱形状とされ、その先端側の外周部は、図示例の場合、先端側へ行くに従って径方向内側へ傾斜する傾斜面７ａに形成されている。
【００５３】
フランジ部８は、本体部７の基端部に連接され、本体部７よりも大径の略円板状に形成されている。フランジ部８の外径は、セパ穴３の開口部の径よりも大きく形成されている。フランジ部８の基端側の外周部は、図示例の場合、基端側へ行くに従って径方向内側へ傾斜する傾斜面８ａに形成されている。
【００５４】
ベース部材１には、その軸線に沿って貫通穴９（１０）が形成されている。この貫通穴は、ネジ穴９とされると共に、基端側の開口部のみ拡径されて六角穴１０とされている。ネジ穴９は、セパレータ５端部のネジ部５ａと対応した雌ネジが形成されており、セパレータ５端部のネジ部５ａと螺合可能とされる。このネジ穴９は、ベース部材１の軸方向中途部（典型的には略中央部）を境に、先端側がセパレータ５端部のネジ部５ａへの螺合部９ａとされる一方、基端側が取付部材４（図３）を取り付けるための被取付穴９ｂとされる。
【００５５】
このような構成のベース部材１は、先端面に開口したネジ穴９（９ａ）にセパレータ５端部のネジ部５ａを螺合しつつ、セパ穴３にはめ込まれる。そして、コンクリート面２ａにフランジ部８の端面を当接して（押し付けて）止まるまで、セパレータ５端部のネジ部５ａにベース部材１がねじ込まれる。これにより、コンクリート面２ａにフランジ部８が重ね合わされて位置決めされ、セパ穴３にベース部材１を固定することができる。ベース部材１の六角穴１０に六角レンチなどの回転用工具を係合することで、ベース部材１を容易に回転させて、セパレータ５端部のネジ部５ａに締め込むことができる。
【００５６】
図示例の場合、セパ穴３へのベース部材１の取付状態において、ベース部材１の本体部７は、セパ穴３との間に隙間を空けて配置される。つまり、ベース部材１は、本体部７の外周面とセパ穴３の内周面３ｂとの間、および本体部７の先端面とセパ穴３の奥面３ａとの間に、それぞれ隙間が空けられる。そのため、コンクリート面２ａにフランジ部８が重ね合わされるまで、セパ穴３の内面に本体部７を干渉させることなく、ネジ部５ａにベース部材１を確実にねじ込んで、コンクリート壁２にベース部材１を強固に固定することができる。
【００５７】
セパ穴３へのベース部材１の取付状態では、ベース部材１の軸線に沿って貫通形成されたネジ穴９の内、先端側９ａにセパレータ５端部のネジ部５ａが配置される。そして、このネジ部５ａが螺合された箇所以外の箇所が、取付部材４を取り付けるための被取付穴９ｂとされる。ベース部材１の基端面の中央部には、雌ネジを有する被取付穴９ｂが開口し、その開口部には六角穴１０が形成されている。
【００５８】
被取付穴９ｂ（ネジ穴９）を利用して、ベース部材１には各種の取付部材４を着脱可能に設けることができる。その際、取付部材４自体が有するネジ部を被取付穴９ｂにねじ込んで、ベース部材１に取付部材４を保持してもよいし、被取付穴９ｂにねじ込まれるボルトで、ベース部材１に取付部材４を保持してもよい。取付部材４は、その種類や構成を特に問わないが、たとえば以下の構成を採用することができる。
【００５９】
図３は、取付部材４としての引掛部材１１の一例を示す概略図であり、コンクリート壁２に設置のベース部材１への取付状態を示している。
【００６０】
引掛部材１１は、物品が引っ掛けられるフック部１２と、このフック部１２に連接されたネジ部１３とを有する。図示例では、引掛部材１１は、段付きの棒状とされ、図３において、右側（基端側）にフック部１２が設けられ、左側（先端側）にネジ部１３が設けられている。フック部１２は、棒状部の軸方向両端部に、第一大径部１２ａと第二大径部１２ｂとが形成されてなり、第一大径部１２ａにネジ部１３が連接されている。このネジ部１３は、ベース部材１の被取付穴９ｂ（ひいてはセパレータ５端部のネジ部５ａ）と対応して形成されている。
【００６１】
従って、ベース部材１の被取付穴９ｂに引掛部材１１のネジ部１３をねじ込んで、ベース部材１ひいてはコンクリート面２ａに引掛部材１１を設けることができる。ベース部材１の基端面に第一大径部１２ａの先端面が当接するまで、ベース部材１に引掛部材１１をねじ込んで、ベース部材１に引掛部材１１が保持される。これにより、コンクリート面２ａからフック部１２が突出するよう配置される。そのフック部１２には、各種の物品を引っ掛けて保持することができる。
【００６２】
なお、物品を引っ掛けられるのであれば、フック部１２の構成（形状）は適宜に変更可能である。たとえば、フック部１２は、略Ｊ字形状などに形成されてもよい。また、フック部１２とネジ部１３とを一体的に形成したが、場合により、次のように別体として構成してもよい。すなわち、ネジ部１３を有しないがフック部１２を有する引掛部材１１と、この引掛部材１１をベース部材１に取り付けるためのボルト（ネジ部１３）とから構成してもよい。その場合、引掛部材１１のボルト挿通穴にボルトを通して、そのボルトをベース部材１の被取付穴９ｂにねじ込めばよい。これにより、引掛部材１１は、ベース部材１のフランジ部８とボルトの頭部との間に挟まれて保持される。
【００６３】
図４は、取付部材４としての略Ｌ字形状材１４の一例を示す概略断面図であり、コンクリート壁２に設置のベース部材１への取付状態を示している。
【００６４】
略Ｌ字形状材１４は、一片１４ａと他片１４ｂとが略Ｌ字形状に配置されて構成される。一片１４ａおよび他片１４ｂには、それぞれ板面に対し垂直に貫通穴（符号省略）が形成されている。
【００６５】
略Ｌ字形状材１４は、ベース部材１の基端面（フランジ部８の端面）に一片１４ａが重ね合されて、その一片１４ａの貫通穴（図示例では皿穴）を介してボルト（図示例では皿ネジ）１５がベース部材１の被取付穴９ｂにねじ込まれることで、ベース部材１に保持される。つまり、略Ｌ字形状材１４は、その一片１４ａがベース部材１のフランジ部８とボルト１５の頭部とに挟まれて、ベース部材１に保持される。これにより、略Ｌ字形状材１４の他片１４ｂは、ベース部材１の基端面に対し略垂直に配置される。この他片１４ｂには、各種の物品を保持することができる。
【００６６】
図示例では、略Ｌ字形状材１４の他片１４ｂに棚板１６を保持した例を示している。この際、典型的には、次に述べるように、複数のセパ穴３を用いて、棚板１６を水平に保持するのがよい。すなわち、前提として、通常、コンクリート壁２には、上下左右に離隔して多数のセパ穴３が形成されるので、同一高さで左右に離隔した二つ（あるいはそれ以上）のセパ穴３を利用して、棚板１６を設けることができる。具体的には、左右のセパ穴３に、前述したようにして、ベース部材１を固定すると共に、そのべース部材１に略Ｌ字形状材１４の一片１４ａを取り付ける。そして、その略Ｌ字形状材１４の他片１４ｂ間に棚板１６を架け渡して、他片１４ｂと棚板１６とをネジ１７などで固定すればよい。
【００６７】
略Ｌ字形状材１４を介してコンクリート壁２に設ける部材は、棚板１６に限らない。たとえば、ラックやパーテーションを設けることもできる。ラックの場合、上方、前方または左右側方へ開口した箱体を、棚板１６と同様に、他片１４ｂ間に保持して固定すればよい。一方、パーテーションの場合、略Ｌ字形状材１４の他片１４ｂを（水平ではなく）垂直に配置して、その他片１４ｂにパーテーション（部屋を仕切る板材）の端部を保持して、パーテーションをコンクリート面２ａに対し略垂直に保持すればよい。その他、略Ｌ字形状材１４の他片１４ｂの穴に、略環状材を通して、タオル掛けなどに利用することもできる。
【００６８】
図５は、取付部材４としての略コ字形状材１８の一例を示す概略斜視図であり、ベース部材１への取付状態を示すと共に、タオル掛け１９を設けた例を示している。
【００６９】
略コ字形状材１８は、一対の端片１８ａが中央片１８ｂで接続されて、略コ字形状に形成されて構成される。中央片１８ｂおよび両端片１８ａには、それぞれ板面に対し垂直に貫通穴（符号省略）が形成されている。
【００７０】
略コ字形状材１８は、ベース部材１の基端面（フランジ部８の端面）に中央片１８ｂが重ね合されて、その中央片１８ｂの貫通穴を介してボルト２０がベース部材１の被取付穴９ｂにねじ込まれることで、ベース部材１に保持される。つまり、略コ字形状材１８は、その中央片１８ｂがベース部材１のフランジ部８とボルト２０の頭部とに挟まれて、ベース部材１に保持される。これにより、略コ字形状材１８の両端片１８ａは、ベース部材１の基端面に対し略垂直に配置される。この両端片１８ａには、各種の部材を保持することができる。
【００７１】
図示例では、略コ字形状材１８の両端片１８ａにタオル掛け１９を保持した例を示している。タオル掛け１９は、図示例では、金属製の線材が屈曲形成されて構成される。具体的には、線材が略コ字形状に屈曲され、その開放両端部は互いに近接する方向へ略Ｌ字状に屈曲されて保持片１９ａとされる。
【００７２】
略コ字形状材１８にタオル掛け１９を保持するには、タオル掛け１９の保持片１９ａ間を離隔する方向へ弾性変形させた状態で、略コ字形状材１８の各端片１８ａの穴に、保持片１９ａの先端部をはめ込めばよい。なお、図示例では、略コ字形状材１８の各端片１８ａ間には略円筒材２１が架け渡すように配置され、この略円筒材２１の中空穴に保持片１９ａの先端部が突入されている。このようにして、コンクリート壁２に、ベース部材１および略コ字形状材１８を介して、タオル掛け１９を保持することができる。
【００７３】
タオル掛け１９の中央片１９ｂには、タオルを引っ掛けて利用することができる。タオル掛け１９は、保持片１９ａまわりに（言い換えれば保持片１９ａの軸線まわりに）揺動可能であると共に、所望により、略コ字形状材１８をベース部材１へ保持するボルト２０の軸線まわりにも揺動可能とできる。そのため、タオルの取扱いが容易である。
【００７４】
略コ字形状材１８は、タオル掛け１９以外にも、適用可能である。たとえば、前述した略Ｌ字形状材１４と同様にして、パーテーションを設けるのに用いることもできる。すなわち、略コ字形状材１８の両端片１８ａ間の溝にパーテーション（部屋を仕切る板材）の端部を挟み込んで保持し、パーテーションをコンクリート面２ａに対し略垂直に保持すればよい。その他、次に述べるように、継手部材２２とすることもできる。
【００７５】
図６は、取付部材４としての継手部材２２の一例を示す概略斜視図であり、ベース部材１への取付状態を示すと共に、継手部材２２を介してアイボルト２３を設ける例を示している。
【００７６】
継手部材２２は、第一部材２４と第二部材２５とが揺動可能に接続されて構成され、第一部材２４がベース部材１に保持され、第二部材２５に他の部材が保持される。この他の部材として、図示例では、アイボルト２３が設けられる。
【００７７】
より具体的に説明すると、図示例の場合、第一部材２４は、略コ字形状材１８から形成される。この略コ字形状材１８の構成やベース部材１への取付方法は、前述した図５の場合と同様である。すなわち、略コ字形状材１８は、中央片１８ｂがベース部材１の基端面に重ね合されてボルト２０で保持される。その際、略コ字形状材１８の中央片１８ｂは、ボルト２０まわりに揺動可能に保持されるのがよい。そして、略コ字形状材１８の両端片１８ａには、軸材２６が架け渡されると共に、この軸材２６の軸線まわりに揺動可能に第二部材２５の基端部が保持される。第二部材２５は、棒状とされて、基端部に径方向へ貫通して穴が形成される一方、先端面へ開口してネジ穴２５ａが形成されている。第二部材２５は、基端部の貫通穴に第一部材２４（略コ字形状材１８）の軸材２６が通されて、第一部材２４に対し揺動可能に保持される。つまり、第二部材２５は、軸材２６の軸線まわりに揺動可能に、第一部材２４に保持される。第二部材２５のネジ穴２５ａには、各種の部材を螺着して、使用することができる。図示例では、アイボルト２３のネジ部２３ａがねじ込まれて設けられる例を示している。周知のとおり、アイボルト２３は、円環状部２３ｂにネジ部２３ａが連接されてなり、円環状部２３ｂにはフックを引っ掛けたり、ワイヤや紐を通したりして使用することができる。たとえば、室内にハンモックを設けるのに利用したり、家具の転倒防止に利用したりすることができる。
【００７８】
なお、継手部材２２として、従来公知の各種の構成を採用することもできる。たとえば、継手部材２２は、従来公知のユニバーサルジョイントとすることができる。図示しないが、具体例を示せば、次のとおりである。すなわち、第一部材と第二部材との接続部に、二本の棒材が十字に交差された十字形状材を用い、一方の棒材の両端部が略コ字形状の第一部材の両端片を架け渡すように揺動自在に保持され、他方の棒材の両端部が略コ字形状の第二部材の両端片を架け渡すように揺動可能に保持される。そして、第一部材の中央片がベース部材に重ね合されて揺動可能にボルトで保持され、第二部材の中央片にアイボルトなどを設けることができる。
【００７９】
本実施例のセパ穴活用具によれば、セパレータ５端部のネジ部５ａにネジ穴９を螺合させつつ、セパ穴３にベース部材１をはめ込んで固定することができる。これにより、セパ穴３の開口部周囲のコンクリート面２ａに、フランジ部８が重ね合わされる。セパ穴３にベース部材１をはめ込んだ状態でも、ベース部材１の本体部７がセパ穴３に接触しない形状および寸法としておくことで、コンクリート面２ａにフランジ部８を重ね合わせるまで、セパレータ５端部のネジ部５ａにベース部材１を確実に締め込むことができる。しかも、複数のセパ穴３のそれぞれにベース部材１を設ける場合でも、コンクリート面２ａからのフランジ部８の突出量を一定とできるので、美感を損ねるおそれもない。
【００８０】
ベース部材１の基端部には六角穴１０が設けられているので、その六角穴１０にレンチを係合して、セパレータ５端部のネジ部５ａにベース部材１を容易に強固に締め付けて取り付けることができる。その際、コンクリート面２ａにフランジ部８を押し付けて密着させ、当接面の摩擦力によりベース部材１の緩みを防止することができる。六角穴１０を被取付穴９ｂの開口部に設けることで、被取付穴９ｂに取付部材４を設けない状態でも、六角穴１０が目立ちにくく、美感を損ねるおそれがない。後述するように、回転用工具の被係合部として、六角穴１０に代えて六角星形穴などを採用することもできるが、その場合も同様である。
【００８１】
このようにして、見栄えよく、コンクリート面２ａにベース部材１を安定して強固に取り付けることができる。ベース部材１には、基端面へ開口して雌ネジを有する被取付穴９ｂが形成されているので、この被取付穴９ｂを用いて、必要に応じて、前述したとおり、各種の取付部材４を取り付けることができる。ベース部材１に取付部材４を設けない場合でも、ベース部材１でセパ穴３に蓋をすることができる。
【００８２】
ところで、コンクリート型枠工事後には、コンクリート壁２には、上下左右に多数のセパ穴３が出現することになる。本実施例のセパ穴活用具の場合、取り敢えず、全ての（あるいは所望の）セパ穴３にベース部材１を設けておき、その複数のベース部材１の内、所望の箇所に取付部材４を設けて活用することができる。もちろん、多数のセパ穴３の内、将来的にも明らかに使用しない箇所には、モルタルで埋めてもよい。
【００８３】
コンクリート壁２の複数のセパ穴３にベース部材１を設ける場合でも、各ベース部材１のフランジ部８は外形が円形とされているので、セパレータ５端部へのねじ込み終了時の回転停止位置に関わらず、美感を保つことができる。すなわち、仮に、フランジ部８の外形をたとえば六角形状とした場合には、その六角の角部が、各ベース部材１で異なった位置で停止することもあり、壁の外観を損ねるおそれがある。ところが、本実施例では、フランジ部８の外形を円形とする一方、中央部にネジ穴９よりも少し大きな六角穴１０を形成して、その六角穴１０を利用してセパ穴３にベース部材１を設けることができるので、取付完了時のデザインを損ねるおそれがない。また、コンクリート面２ａにフランジ部８が重ね合わされるよう配置され、コンクリート面２ａからの突出が抑えられるので、取付部材４を設けない場合でも、ベース部材１が邪魔になることはない。
【００８４】
このようにして、複数のセパ穴３にベース部材１を設けておき、必要に応じて、必要な箇所に、必要な取付部材４を設けることができる。たとえば、前述したとおり、引掛部材１１を設けたり、左右のベース部材１に略Ｌ字形状材１４を介して棚板１６やラックを設けたり、ベース部材１に略コ字形状材１８を介してタオル掛け１９を設けたりすることができる。しかも、設置箇所の変更や増減など、レイアウトの変更にも容易に対応可能となる。
【００８５】
なお、前記実施例のセパ穴活用具は、ベース部材１には貫通穴（ネジ穴）９が形成され、その基端側の開口部には、セパレータ５端部のネジ部５ａにベース部材１をねじ込む際の回転用工具の被係合部として、六角穴１０を形成した。セパレータ５端部のネジ部５ａとの関係で、六角穴１０はたとえば次の大きさが採用される。
【００８６】
セパレータ５端部のネジ部５ａは、典型的には、ウイットネジが使用される。具体的には、ウイットネジＷ５／１６、Ｗ３／８、Ｗ１／２が用いられることが多い。この場合、雄ネジの外径は、それぞれ、７．９４ｍｍ、９．５３ｍｍ、１２．７０ｍｍとされる。ベース部材１に形成される貫通穴（ネジ穴）９には、これらセパレータ５端部のネジ部５ａと対応したネジで、雌ネジが形成される。そして、ベース部材１の基端部に形成される六角穴１０は、前記貫通穴９よりも大径に形成される。その際、レンチを引っ掛けられるのであれば、前記貫通穴９の径に近いほど好ましい。というのも、コンクリート面２ａにベース部材１を取り付けた状態（特に取付部材４が設けられていない状態）で、六角穴１０を目立ちにくくして、美感を保つことができるからである。
【００８７】
セパレータ５端部のネジ部５ａおよび前記貫通穴のネジ穴９が、５／１６インチのウイットネジの場合、六角穴１０の対辺（平行な対辺間）の離隔距離は、たとえば８〜１４ｍｍ、好ましくは８ｍｍとされる。また、セパレータ５端部のネジ部５ａおよび前記貫通穴のネジ穴９が、３／８インチのウイットネジの場合、六角穴１０の対辺の離隔距離は、たとえば１０〜１７ｍｍ、好ましくは１０ｍｍとされる。さらに、セパレータ５端部のネジ部５ａおよび前記貫通穴のネジ穴９が、１／２インチのウイットネジの場合、六角穴１０の対辺の離隔距離は、たとえば１３〜２２ｍｍ、好ましくは１３ｍｍとされる。
【００８８】
なお、セパレータ５端部のネジ部５ａにベース部材１をねじ込む際に、回転用工具を係合できるのであれば、被係合部は六角穴１０に限らない。すなわち、前記実施例では、セパレータ５端部のネジ部５ａにベース部材１をねじ込むための回転用工具として六角レンチを用いることを前提に、ベース部材１に貫通するネジ穴９の基端側開口部に六角穴１０を設けたが、回転用工具は六角レンチに限らず、それに伴い六角穴以外の被係合部（回転用工具がかみ合わされる被係合部）を設けてもよい。たとえば、トルクス（登録商標）レンチが係合可能に、被係合部は六角星形穴としてもよい。あるいは、ベース部材１の基端部には、マイナスドライバの先端部がかみ合う直線状の溝からなる被係合部を設けてもよい。その場合、被取付穴９ｂの基端側開口部には、被取付穴９ｂの径方向両側に延出して、矩形状の溝が基端側へ開口して形成される。
【００８９】
本考案のセパ穴活用具は、前記実施例に限らず適宜変更可能である。特に、（ａ）コンクリート面２ａに開口するセパ穴３に設けられるセパ穴活用具であって、（ｂ）セパ穴３の奥面３ａからセパ穴３内へ突出するセパレータ５端部のネジ部５ａに設けられるベース部材１を備え、（ｃ）このベース部材１は、ネジ部５ａにねじ込まれてセパ穴３にはめ込まれる本体部７と、ネジ部５ａへのねじ込み側とは逆側となる本体部７の基端部に、セパ穴３の開口部よりも大きな寸法で設けられ、セパ穴３の開口部周囲のコンクリート面２ａに重ね合わされるよう設けられるフランジ部８とを備え、（ｄ）ベース部材１には、基端面へ開口して、雌ネジを有する被取付穴９ｂが形成されているのであれば、その他は適宜に変更可能である。
【００９０】
特に、ベース部材１を備えるのであれば、取付部材４の有無や種類などは問わない。ベース部材１の被取付穴９ｂに螺合するのであれば、前記実施例で述べた取付部材４に限らず、市販のまたは自作の各種部材を設けることもできる。
【００９１】
また、前記実施例では、ベース部材１には、一定の径のネジ穴９を貫通形成したが、場合により、段付きのネジ穴９としてもよい。つまり、セパレータ５端部へのネジ穴９ａと、取付部材４を設置するためのネジ穴ｂとは、同じ径に限らず、異なる径としてもよい。
【００９２】
また、前記実施例では、ベース部材１のフランジ部８は、円形としたが、場合により円形以外であってもよい。つまり、フランジ部８は、セパ穴３の開口部よりも大きな寸法を有するのであれば、適宜に変更可能である。但し、前記実施例のように円形に形成した方が、セパレータ５端部のネジ部５ａへねじ込んでコンクリート面２ａに取り付けた際、回転停止位置に左右されずに、美感を確保できる利点がある。
【００９３】
さらに、前記実施例において、ベース部材１は、フランジ部８とコンクリート面２ａとの間に弾性材を介して、セパ穴３に設けられてもよい。たとえば、フランジ部８の端面とコンクリート面２ａとの間に、円環板状の弾性材を介在させてもよい。この弾性材は、中央部の穴に本体部７が通され、外径はフランジ部８と同等か若干小さく形成されるのがよい。弾性材を介在させることで、コンクリート面２ａとフランジ部８との重ね合わせがより確実となり、ベース部材１をセパ穴３に強固に取り付けることができる。
【符号の説明】
【００９４】
１  ベース部材
２  コンクリート壁（２ａ：コンクリート面）
３  セパ穴（３ａ：奥面、３ｂ：内周面）
４  取付部材
５  セパレータ（５ａ：ネジ部）
６  Ｐコン（６ａ：略円錐台形状部、６ｂ：ボルト部）
７  本体部（７ａ：傾斜面）
８  フランジ部（８ａ：傾斜面）
９  ネジ穴（９ａ：先端側ネジ穴、９ｂ：被取付穴）
１０  六角穴
１１  引掛部材
１２  フック部（１２ａ：第一大径部、１２ｂ：第二大径部）
１３  ネジ部
１４  略Ｌ字形状材（１４ａ：一片、１４ｂ：他片）
１５  ボルト
１６  棚板
１７  ネジ
１８  略コ字形状材（１８ａ：端片、１８ｂ：中央片）
１９  タオル掛け（１９ａ：保持片、１９ｂ：中央片）
２０  ボルト
２１  略円筒材
２２  継手部材
２３  アイボルト（２３ａ：ネジ部、２３ｂ：円環状部）
２４  第一部材
２５  第二部材（２５ａ：ネジ穴）
２６  軸材
【図１】
0003232955.tif 000003
【図２】
0003232955.tif 000004
【図３】
0003232955.tif 000005
【図４】
0003232955.tif 000006
【図５】
0003232955.tif 000007
【図６】
0003232955.tif 000008